(57)【要約】      （修正有）【課題】ＲＦ信号の高い周波数成分に非対称性を持った光ディスクを判別し、イコライザゲインを適切に設定し、従来では再生不可能な光ディスクにおいても再生可能とする。【解決手段】光ディスクから読み出された信号を処理して得られるＲＦ信号ＳRFの周波数特性を変更するイコライザ１４と、ＳRFの検波によりオフトラック状態を検出したときにオフトラック状態検出信号ＳOFT を生成するオフトラック検出回路１７と、ＳOFT の周波数を検出する周波数検出回路１９と、ＳOFT の周波数が所定の閾値よりも高いかどうかを判定し、高い場合にイコライザ１４に対してゲイン調整の指示を行うゲイン調整回路２０とを備える。【選択図】図１
2007042167.tif 000002
【特許請求の範囲】
【請求項１】
光ディスクから読み出された信号を処理して得られるＲＦ信号の周波数特性を変更するイコライザと、
前記ＲＦ信号の検波によりオフトラック状態を検出したときにオフトラック状態検出信号を生成するオフトラック検出手段と、
前記オフトラック状態検出信号の周波数を検出する周波数検出手段と、
前記オフトラック状態検出信号の周波数が所定の閾値よりも高いかどうかを判定し、高い場合に前記イコライザに対してゲイン調整の指示を行うゲイン調整手段とを備えたＲＦ信号増幅装置。
【請求項２】
前記周波数検出手段は、前記オフトラック状態検出信号のサンプリングとその電位の高低変化のカウントにより前記オフトラック状態検出信号の周波数を検出するように構成されている請求項１に記載のＲＦ信号増幅装置。
【請求項３】
前記周波数検出手段は、前記オフトラック状態検出信号をクロックに用いたカウントにより前記オフトラック状態検出信号の周波数を検出するように構成されている請求項１に記載のＲＦ信号増幅装置。
【請求項４】
前記周波数検出手段は、前記オフトラック状態検出信号をＦＶ変換した電圧値により前記オフトラック状態検出信号の周波数を検出するように構成されている請求項１に記載のＲＦ信号増幅装置。
【請求項５】
さらに、前記ＲＦ信号の検波により傷検出信号を生成する傷検出手段を備え、
前記ゲイン調整手段は、前記傷検出手段からの前記傷検出信号が有効のときには、前記オフトラック状態検出信号の周波数に基づくイコライザゲイン調整の処理を停止し、前記傷検出信号が無効のときに、前記イコライザゲイン調整の処理を実行するように構成されている請求項１から請求項４までのいずれかに記載のＲＦ信号増幅装置。
【請求項６】
前記ゲイン調整手段は、外部から供給されるトラッキングロック信号がロック状態か否かを判定する機能を有し、前記トラッキングロック信号が無効のときには、前記オフトラック状態検出信号の周波数に基づくイコライザゲイン調整の処理を停止し、前記トラッキングロック信号が有効のときに、前記イコライザゲイン調整の処理を実行するように構成されている請求項１から請求項５までのいずれかに記載のＲＦ信号増幅装置。
【請求項７】
前記ゲイン調整手段は、外部から供給されるＰＬＬロック信号がロック状態か否かを判定する機能を有し、前記ＰＬＬロック信号が無効のときには、前記オフトラック状態検出信号の周波数に基づくイコライザゲイン調整の処理を停止し、前記ＰＬＬロック信号が有効のときに、前記イコライザゲイン調整の処理を実行するように構成されている請求項１から請求項６までのいずれかに記載のＲＦ信号増幅装置。
【請求項８】
前記ゲイン調整手段は、外部から供給されるＣＬＶロック信号がロック状態か否かを判定する機能を有し、前記ＣＬＶロック信号が無効のときには、前記オフトラック状態検出信号の周波数に基づくイコライザゲイン調整の処理を停止し、前記ＣＬＶロック信号が有効のときに、前記イコライザゲイン調整の処理を実行するように構成されている請求項１から請求項７までのいずれかに記載のＲＦ信号増幅装置。
【発明の詳細な説明】
【技術分野】
【０００１】
本発明はＣＤプレーヤー等の光ディスク装置に適用されるＲＦ信号増幅装置にかかわり、特には、ＲＦ信号の品質が悪い光ディスクのＲＦ信号の品質を改善する技術に関する。
【背景技術】
【０００２】
光ディスクから読み取るＲＦ信号は各種周波数の成分を含み、これらの組み合わせによりデータを判別している。一般的に、ＲＦ信号が高周波になるにつれ、ピックアップの周波数特性によりＲＦ信号の振幅が小さくなる傾向を持つ。ＲＦ信号の振幅が小さくなると、ＲＦ信号のデータ判別が困難になる。これを改善するために、従来ではＲＦ信号をイコライザに通過させ、高い周波数成分の振幅をアップさせている。しかし、振幅のアップ率を大きくすると、ＲＦ信号を歪ませる結果となり、逆にデータ読み取りを困難にする結果となる場合もある。そこで、様々な光ディスクを用いて、特性の決まった平均的なイコライザを設定してきた。
【０００３】
近年、ＣＤ−ＲおよびＣＤ−ＲＷの普及により、データ書き込み時において適切なレーザパワーでデータを書き込めないケースが増えている。適切なレーザパワーでデータを書き込めていない光ディスクにおいては、書き込まれたＲＦ信号のうち高い周波数成分が非対称なデータとなっている。そのため、従来の平均的なイコライザを用いていては、データ読み取りの際、高い周波数成分のデータが正常に判別できず、データ読み取りができない結果となってしまう。
【０００４】
図１２は、従来の光ディスク装置に用いられるＲＦ信号増幅装置の構成を示すブロック図である。図１２において、１１は光ディスクにレーザを照射しその反射光を電気信号に変換した信号Ａ，Ｂ，Ｃ，Ｄを加算して増幅する加算増幅器、１２は信号Ａ，Ｂ，Ｃ，Ｄから例えば（Ａ＋Ｃ）−（Ｂ＋Ｄ）を算出し増幅することでフォーカスエラー信号ＳFEを生成するフォーカス減算増幅器、１３は光ディスクに別のトラッキング用レーザを照射しその反射光を電気信号に変換した信号Ｅ，Ｆから例えばＥ−Ｆを算出し増幅することでトラッキングエラー信号ＳTEを生成するトラッキング減算増幅器、１４はＲＦ信号ＳRFの周波数特性を変更するイコライザ、１５はイコライザ１４の特性を切り替えるイコライザ特性切替回路、１６はＲＦ信号ＳRFを一定の振幅に変換するＡＧＣ回路、１７はＲＦ信号ＳRFのへこみを検波しオフトラック状態検出信号ＳOFT を生成するオフトラック検出回路、１８はＲＦ信号ＳRFのへこみを検波し傷検出信号ＳD を生成する傷検出回路である。
【０００５】
次に、光ディスク装置において、正しいレーザパワーで書き込まれたＲＦ信号ＳRFについて図１３を用いて説明する。
【０００６】
図１３は、正しいレーザパワーで書き込まれたＲＦ信号ＳRFを示した図である。図１３において、８１はＲＦ信号ＳRFの３Ｔ成分、８２はＲＦ信号ＳRFの６Ｔ成分、８３はＲＦ信号ＳRFの９Ｔ成分である。このように正しいレーザパワーで書き込まれた光ディスクから読み込んだデータは、各周波数成分の振幅に違いはあるものの、データとしては正負の方向で対称性を保っており、各信号の判別は正常に実施することができる。
【０００７】
図１４は、最適ではないレーザパワーにて書き込まれた光ディスクから読み込んだＲＦ信号ＳRFを示した図である。図１４において、８１ａは非対称なＲＦ信号３Ｔ成分、８２ａは非対称なＲＦ信号６Ｔ成分、８３ａは非対称なＲＦ信号９Ｔ成分である。このように、最適ではないレーザパワーで書き込まれた光ディスクから読み込んだデータは、周波数が高い成分のＲＦ信号ＳRFほど、波形レベルが電圧の高い方または低い方にずれる傾向がある。
【特許文献１】特開２００５−１２２７７３号公報
【発明の開示】
【発明が解決しようとする課題】
【０００８】
上記の従来の技術においては、ＲＦ信号の高い周波数成分に非対称性を持った光ディスクの場合に、データ判別が正常にできず、正しいデータ読み出しが行えなくなってしまう。
【０００９】
本発明は、上記従来の問題点を解決するもので、ＲＦ信号の高い周波数成分に非対称性を持った光ディスクを判別し、イコライザゲインを適切に設定し、従来では再生不可能な光ディスクにおいても再生可能となるようにすることを目的とする。
【課題を解決するための手段】
【００１０】
本発明によるＲＦ信号増幅装置は、
光ディスクから読み出された信号を処理して得られるＲＦ信号の周波数特性を変更するイコライザと、
前記ＲＦ信号の検波によりオフトラック状態を検出したときにオフトラック状態検出信号を生成するオフトラック検出手段と、
前記オフトラック状態検出信号の周波数を検出する周波数検出手段と、
前記オフトラック状態検出信号の周波数が所定の閾値よりも高いかどうかを判定し、高い場合に前記イコライザに対してゲイン調整の指示を行うゲイン調整手段とを備えた構成とされている。
【００１１】
この構成において、周波数検出手段はオフトラック検出手段が生成したオフトラック状態検出信号の周波数を検出し、検出した周波数をゲイン調整手段に与える。ゲイン調整手段はオフトラック状態検出信号の周波数を所定の閾値と比較し、所定の閾値より高いときは、最適ではないレーザパワーにて書き込まれた光ディスクであると判定し、ゲイン調整指示をイコライザに対して与える。イコライザはゲイン調整指示に従ってＲＦ信号のゲインを調整し、イコライザ特性を最適化する。すなわち、ゲインアップすることにより、従来では再生できなかった光ディスクも再生可能となる。
【００１２】
上記において、前記周波数検出手段には次のようないくつかの態様がある。
【００１３】
すなわち、前記周波数検出手段は、前記オフトラック状態検出信号のサンプリングとその電位の高低変化のカウントにより前記オフトラック状態検出信号の周波数を検出するように構成されているという態様がある。
【００１４】
また、前記周波数検出手段は、前記オフトラック状態検出信号をクロックに用いたカウントにより前記オフトラック状態検出信号の周波数を検出するように構成されているという態様もある。
【００１５】
また、前記周波数検出手段は、前記オフトラック状態検出信号をＦＶ（周波数‐電圧）変換した電圧値により前記オフトラック状態検出信号の周波数を検出するように構成されているという態様もある。
【００１６】
また、上記において、さらに、前記ＲＦ信号の検波により傷検出信号を生成する傷検出手段を備え、前記ゲイン調整手段は、前記傷検出手段からの前記傷検出信号が有効のときには、前記オフトラック状態検出信号の周波数に基づくイコライザゲイン調整の処理を停止し、前記傷検出信号が無効のときに、前記イコライザゲイン調整の処理を実行するように構成されているという態様がある。
【００１７】
光ヘッドからの光ビームが光ディスクにおける傷部分を通過するときには、通常、ピックアップにおけるトラッキングの追従が正常に実施できない場合が多い。そのため、傷検出信号が有効となっている間は、オフトラック状態でなくても、必然的にオフトラック状態検出信号が有効となりやすい。そこで、オフトラック状態検出信号の周波数に基づくイコライザゲイン調整の処理については、傷検出信号が有効のときには処理を停止し、傷検出信号が無効のときに限って処理を実行するものとする。これにより、最適ではないレーザパワーにて書き込まれた光ディスクの判別をより高精度に行うことが可能となる。
【００１８】
また、上記において、前記ゲイン調整手段は、外部から供給されるトラッキングロック信号がロック状態か否かを判定する機能を有し、前記トラッキングロック信号が無効のときには、前記オフトラック状態検出信号の周波数に基づくイコライザゲイン調整の処理を停止し、前記トラッキングロック信号が有効のときに、前記イコライザゲイン調整の処理を実行するように構成されているという態様がある。
【００１９】
トラッキングが保てないときには、オフトラック状態検出信号が有効となりやすい。そこで、オフトラック状態検出信号の周波数に基づくイコライザゲイン調整の処理については、トラッキングロック信号が無効のときには処理を停止し、トラッキングロック信号が有効のときに限って処理を実行するものとする。これにより、トラッキング外れの発生の有無にかかわらず、最適ではないレーザパワーにて書き込まれた光ディスクの判別をより高精度に行うことが可能となる。
【００２０】
また、上記において、前記ゲイン調整手段は、外部から供給されるＰＬＬロック信号がロック状態か否かを判定する機能を有し、前記ＰＬＬロック信号が無効のときには、前記オフトラック状態検出信号の周波数に基づくイコライザゲイン調整の処理を停止し、前記ＰＬＬロック信号が有効のときに、前記イコライザゲイン調整の処理を実行するように構成されているという態様がある。
【００２１】
ＰＬＬ（Phase Locked Loop）が有効でないときには、オフトラック状態検出信号が有効となりやすい。そこで、オフトラック状態検出信号の周波数に基づくイコライザゲイン調整の処理については、ＰＬＬロック信号が無効のときには処理を停止し、ＰＬＬロック信号が有効のときに限って処理を実行するものとする。これにより、ＰＬＬロックの発生の有無にかかわらず、最適ではないレーザパワーにて書き込まれた光ディスクの判別をより高精度に行うことが可能となる。
【００２２】
また、上記において、前記ゲイン調整手段は、外部から供給されるＣＬＶロック信号がロック状態か否かを判定する機能を有し、前記ＣＬＶロック信号が無効のときには、前記オフトラック状態検出信号の周波数に基づくイコライザゲイン調整の処理を停止し、前記ＣＬＶロック信号が有効のときに、前記イコライザゲイン調整の処理を実行するように構成されているという態様がある。
【００２３】
トラックトレースの線速度一定ＣＬＶ（Constant Linear Velocity）において、光ディスクの回転状態が所定の回転数に達したときに活性化されるのがＣＬＶロック信号である。ＣＬＶロックが有効でないときには、オフトラック状態検出信号が有効となりやすい。そこで、オフトラック状態検出信号の周波数に基づくイコライザゲイン調整の処理については、ＣＬＶロック信号が無効のときには処理を停止し、ＣＬＶロック信号が有効のときに限って処理を実行するものとする。これにより、ＣＬＶロックの発生の有無にかかわらず、最適ではないレーザパワーにて書き込まれた光ディスクの判別をより高精度に行うことが可能となる。
【発明の効果】
【００２４】
本発明によれば、オフトラック状態検出信号の周波数が所定の閾値より高く、最適ではないレーザパワーにて書き込まれた光ディスクと判定したときには、イコライザに対してゲイン調整指示を与えてゲインアップし、イコライザ特性を最適化することにより、従来では再生できなかった光ディスクも再生可能とすることができる。
【発明を実施するための最良の形態】
【００２５】
以下、本発明にかかわるＲＦ信号増幅装置の実施の形態を図面に基づいて詳細に説明する。
【００２６】
（実施の形態１）
図１は、本発明の実施の形態１における光ディスク装置に用いられるＲＦ信号増幅装置の構成を示すブロック図である。
【００２７】
図１において、１１は光ディスクにレーザを照射しその反射光を電気信号に変換した信号Ａ，Ｂ，Ｃ，Ｄを加算して増幅する加算増幅器、１２は信号Ａ，Ｂ，Ｃ，Ｄから例えば（Ａ＋Ｃ）−（Ｂ＋Ｄ）を算出し増幅することでフォーカスエラー信号ＳFEを生成するフォーカス減算増幅器、１３はＥ−Ｆを算出し増幅することでトラッキングエラー信号ＳTEを生成するトラッキング減算増幅器、１４はＲＦ信号ＳRFの周波数特性を変更するイコライザ、１５はイコライザ１４のフィルタを構成する容量等を変更することによりイコライザ１４の特性を切り替えるイコライザ特性切替回路、１６はＲＦ信号ＳRFを一定の振幅に変換するＡＧＣ（Automatic Gain Contorol）回路、１７はＲＦ信号ＳRFの下方からのへこみを検波し、オフトラック状態を検出したときにオフトラック状態検出信号ＳOFT を生成するオフトラック検出回路、１８はＲＦ信号ＳRFの上方からのへこみを検波し傷検出信号ＳD を生成する傷検出回路、１９はオフトラック状態検出信号ＳOFT の周波数を検出する周波数検出回路、２０はオフトラック状態検出信号ＳOFT の周波数が所定の閾値よりも高いかどうかを判定し、高い場合には、最適ではないレーザパワーにて書き込まれた光ディスクであるとして、イコライザ１４に対してゲイン調整の指示を行うゲイン調整回路である。
【００２８】
図２はオフトラック検出回路１７におけるオフトラック状態検出信号ＳOFTの生成方法を示す。オフトラック状態検出信号ＳOFT は、ＲＦ信号ＳRFの下方からのへこみを検波し、一定の閾値を超えた場合に、オフトラック状態検出信号ＳOFT は“Ｈ”となる。最適なレーザパワーにて書き込まれた光ディスクにおいては、トラッキング外れが発生する場合以外は、オフトラック状態検出信号ＳOFT は“Ｌ”を保っている。
【００２９】
図３は、最適なレーザパワーで書き込まれなかった場合のＲＦ信号ＳRFとオフトラック状態検出信号ＳOFT の関係を示した図である。最適なレーザパワーで書き込まれていない光ディスクは、上下方向で非対称なＲＦ信号ＳRFになる。この場合は、トラッキング外れが発生していないにもかかわらず、オフトラック状態検出信号ＳOFT が“Ｈ”となる。また、ＲＦ信号ＳRFの周波数が高いほど、非対称性は大きくなる。そのため、光ディスクに書き込まれているＲＦ信号ＳRFのうち、３Ｔ成分が最も非対称性を示す。オフトラック状態検出信号ＳOFT が“Ｈ”となるのは、３Ｔ成分等の周波数の高い成分の場合が多い。
【００３０】
図４は、イコライザ１４のゲインをアップさせたときの図である。ＲＦ信号ＳRFの高周波部分の振幅を拡大することにより、上下方向での対称性を確保し、オフトラック状態検出信号ＳOFT は“Ｌ”を保つことになる。例えばコントロールマイコン等によりデータ読み取り中のオフトラック状態検出信号ＳOFT を検出することにより、現在再生しているディクスが、最適なレーザパワーで書き込まれた光ディスクか最適なレーザパワーで書き込まれていない光ディスクかを判別することが可能となる。
【００３１】
光ディスクの判別が可能になったことにより、最適なレーザパワーで書き込まれた光ディスクの場合は、ジッタを抑えるために、イコライザ１４のゲインを小さく設定し、最適なレーザパワーで書き込まれていない光ディスクの再生時には、イコライザ１４のゲインをアップさせ、従来では再生できなかった光ディスクも再生可能となる。
【００３２】
図５は図１における周波数検出回路１９とゲイン調整回路２０の具体的構成を示す。周波数検出回路１９は、サンプリング回路５１とカウント回路５２と算出回路５３とで構成されている。ゲイン調整回路２０は、比較回路５４で構成されている。サンプリング回路５１は、オフトラック状態検出信号ＳOFT が入力されると、一定周期のクロックを用いてサンプリング（標本化）を行い、その結果をカウント回路５２に出力する。カウント回路５２はサンプリングされたデータの“Ｈ”／“Ｌ”の切り替わり数をカウントし、算出回路５３に出力する。算出回路５３はそのカウント値からオフトラック状態検出信号ＳOFT の周波数を算出し、その結果を比較回路５４に出力する。比較回路５４は予め持っている各周波数の閾値と前記算出された周波数を比較して、算出した周波数が所定の閾値よりも高いときは、最適なイコライザ特性を得るためにイコライザ１４に対してゲインの変更の指示を行うゲイン調整信号ＳADJ を生成し、イコライザ特性切替回路１５に出力する。これにより、オフトラック状態検出信号ＳOFT の周波数に合わせてイコライザ１４のゲインが調整される。
【００３３】
オフトラック状態検出信号ＳOFT は光ディスク上のデータを読み込んでいる際に入力され、例えば一定周波数よりも高いオフトラック状態検出信号ＳOFT が検出された場合、最適ではないレーザパワーにて書き込まれた光ディスクであると判定し、ゲインアップすることによりイコライザ１４の特性を変更する。これにより、従来では再生できなかった光ディスクも再生可能となる。
【００３４】
（実施の形態２）
本発明の実施の形態２においては、図１が援用される。図６は実施の形態２における周波数検出回路１９とゲイン調整回路２０の具体的構成を示す。周波数検出回路１９は、カウント回路６１と算出回路６２とで構成されている。ゲイン調整回路２０は、比較回路６３で構成されている。
【００３５】
カウント回路６１は、オフトラック状態検出信号ＳOFT が入力されると、オフトラック状態検出信号ＳOFT の“Ｈ”／“Ｌ”の切り替わり数をクロックを用いてカウントし、算出回路６２に出力する。算出回路６２はそのカウント値からオフトラック状態検出信号ＳOFT の周波数を算出し、その結果を比較回路６３に出力する。比較回路６３は予め持っている各周波数の閾値と前記算出された周波数を比較して、算出した周波数が所定の閾値よりも高いときは、最適なイコライザ特性を得るためにイコライザ１４に対してゲインの変更の指示を行うゲイン調整信号ＳADJ を生成し、イコライザ特性切替回路１５に出力する。これにより、オフトラック状態検出信号ＳOFT の周波数に合わせてイコライザ１４のゲインが調整される。
【００３６】
オフトラック状態検出信号ＳOFT は光ディスク上のデータを読み込んでいる際に入力され、例えば一定周波数よりも高いオフトラック状態検出信号ＳOFT が検出された場合、最適ではないレーザパワーにて書き込まれた光ディスクであると判定し、ゲインアップすることによりイコライザ１４の特性を変更する。これにより、従来では再生できなかった光ディスクも再生可能となる。
【００３７】
（実施の形態３）
本発明の実施の形態３においては、図１が援用される。図７は実施の形態２における周波数検出回路１９とゲイン調整回路２０の具体的構成を示す。周波数検出回路１９は、周波数を電圧に変換するＦＶ変換回路７１で構成されている。ゲイン調整回路２０は、電圧比較回路７２で構成されている。ＦＶ変換回路７１は、オフトラック状態検出信号ＳOFT が入力されると、オフトラック状態検出信号ＳOFT の周波数をその周波数に応じた電圧に変換し、電圧比較回路７２に出力する。電圧比較回路７２は予め持っている各周波数の閾値と前記変換された電圧を比較して、算出した周波数が所定の閾値よりも高いときは、最適なイコライザ特性を得るためにイコライザ１４に対してゲインの変更の指示を行うゲイン調整信号ＳADJ を生成し、イコライザ特性切替回路１５に出力する。これにより、オフトラック状態検出信号ＳOFT の周波数に合わせてイコライザ１４のゲインが調整される。
【００３８】
オフトラック状態検出信号ＳOFT は光ディスク上のデータを読み込んでいる際に入力され、例えば一定周波数よりも高いオフトラック状態検出信号ＳOFT が検出された場合、最適ではないレーザパワーにて書き込まれた光ディスクであると判定し、ゲインアップすることによりイコライザ１４の特性を変更する。これにより、従来では再生できなかった光ディスクも再生可能となる。
【００３９】
（実施の形態４）
以下、本発明の実施の形態４について説明する。
【００４０】
一般的に、ＲＦ信号増幅装置は、ＲＦ信号ＳRFを検波することにより傷検出信号ＳD を生成する機能を持つ傷検出回路を備えている。ここでは、傷がないときの傷検出信号ＳD は“Ｌ”であるとし、傷検出時に“Ｈ”に立ち上がることとして説明する。通常、傷通過時には、ピックアップにおけるトラッキングの追従が正常に実施できない場合が多い。そのため、傷検出信号ＳD が“Ｈ”となっている間、または“Ｈ”から“Ｌ”となった一定期間の間は、オフトラック状態検出信号ＳOFT が“Ｈ”となりやすい。オフトラック状態検出信号ＳOFT の周波数を検出してイコライザ特性の判定を行う場合、傷検出信号ＳD が“Ｈ”となっている期間を除いて、または“Ｈ”から“Ｌ”となったタイミングを起点として一定期間を除いて、実行することにより、最適ではないレーザパワーにて書き込まれた光ディスクの判別をより高精度に行うことが可能となる。
【００４１】
図８は実施の形態４におけるＲＦ信号増幅装置の構成を示すブロック図である。これは、図１において、傷検出回路１８からの傷検出信号ＳD がゲイン調整回路２０に入力されている。ゲイン調整回路２０は、傷検出回路１８からの傷検出信号ＳD が“Ｈ”で有効のときには、オフトラック状態検出信号ＳOFT の周波数に基づくイコライザゲイン調整の処理を停止し、傷検出信号ＳD が“Ｌ”で無効のときに、イコライザゲイン調整の処理を実行するように構成されている。
【００４２】
本実施の形態によれば、ゲイン調整回路２０は、傷検出信号ＳD が“Ｈ”となっている期間を除いて、または“Ｈ”から“Ｌ”となったタイミングを起点として一定期間を除いて、オフトラック状態検出信号ＳOFT の周波数を検出して、検出した周波数が所定の閾値よりも高いか否かの判定を行うことができる。すなわち、傷検出信号ＳD が無効のときに限って、オフトラック状態検出信号ＳOFT の周波数に基づくイコライザゲイン調整の処理を実行するので、傷発生の有無にかかわらず、最適ではないレーザパワーにて書き込まれた光ディスクの判別をより高精度に行うことが可能となる。
【００４３】
（実施の形態５）
次に、本発明の実施の形態５について説明する。
【００４４】
一般的にＲＦ信号増幅装置とともに光ディスク読み出しのサーボを形成するＤＳＰ（Digital Signal Processor）等の外部演算手段は、トラッキング外れを検出する機能を持っており、この機能を表す信号をトラッキングロック信号と呼んでいる。トラッキングが保てないときには、オフトラック状態検出信号ＳOFT が“Ｈ”となりやすい。オフトラック状態検出信号ＳOFT の周波数を検出してイコライザ特性の判定を行う場合、上記トラッキングロック信号がＯＦＦとなっている期間を除いて実行することにより、最適ではないレーザパワーにて書き込まれた光ディスクの判別をより高精度に行うことが可能となる。
【００４５】
図９は実施の形態５におけるＲＦ信号増幅装置の構成を示すブロック図である。図８に対して、外部演算手段２１とゲイン調整回路２０にトラッキングロック信号ＳTLの入力が追加されている。これにより、ゲイン調整回路２０は、傷検出信号ＳD が“Ｈ”となっている期間、または“Ｈ”から“Ｌ”となった後の一定期間を除き、かつ、トラッキングロック信号ＳTLがＯＦＦとなっている期間を除いて、オフトラック状態検出信号ＳOFT の周波数を検出して、検出した周波数が所定の閾値よりも高いか否かの判定を行うことができる。すなわち、傷検出信号ＳD が無効かつトラッキングロック信号ＳTLが有効のときに限って、オフトラック状態検出信号ＳOFT の周波数に基づくイコライザゲイン調整の処理を実行するので、トラッキング外れの発生の有無にかかわらず、最適ではないレーザパワーにて書き込まれた光ディスクの判別をより高精度に行うことが可能となる。
【００４６】
（実施の形態６）
以下、本発明の実施の形態６について説明する。
【００４７】
一般的にＲＦ信号増幅装置とともに光ディスク読み出しのサーボを形成するＤＳＰ等の外部演算手段は、ＰＬＬロック（ＰＬＬ-ＯＮ）を検出する機能を持っている。ＰＬＬロックされたときに活性化されるのがＰＬＬロック信号（ＰＬＬ-ＯＮ信号）である。ＰＬＬロック信号が有効でないときには、オフトラック状態検出信号ＳOFT が“Ｈ”となりやすい。オフトラック状態検出信号ＳOFT の周波数を検出してイコライザ特性の判定を行う場合、ＰＬＬロック信号がＯＦＦとなっている期間を除いて実行することにより、最適ではないレーザパワーにて書き込まれた光ディスクの判別をより高精度に行うことが可能となる。
【００４８】
図１０は実施の形態６におけるＲＦ信号増幅装置の構成を示すブロック図である。図９に対して、外部演算手段２１からのＰＬＬロック信号ＳPLのゲイン調整回路２０に対する入力が追加されている。これにより、ゲイン調整回路２０は、傷検出信号ＳD が“Ｈ”となっている期間、または“Ｈ”から“Ｌ”となった後の一定期間を除き、かつ、トラッキングロック信号ＳTLおよびＰＬＬロック信号ＳPLがＯＦＦとなっている期間を除いて、オフトラック状態検出信号ＳOFT の周波数を検出して、検出した周波数が所定の閾値よりも高いか否かの判定を行うことができる。すなわち、傷検出信号ＳD が無効かつトラッキングロック信号ＳTLおよびＰＬＬロック信号ＳPLが有効のときに限って、オフトラック状態検出信号ＳOFT の周波数に基づくイコライザゲイン調整の処理を実行するので、トラッキング外れおよびＰＬＬロックの発生の有無にかかわらず、最適ではないレーザパワーにて書き込まれた光ディスクの判別をより高精度に行うことが可能となる。
【００４９】
（実施の形態７）
以下、本発明の実施の形態７について説明する。
【００５０】
一般的にＲＦ信号増幅装置とともに光ディスク読み出しのサーボを形成するＤＳＰ等の外部演算手段は、トラックトレースのＣＬＶ（線速度一定）において、光ディスクの回転状態が所定の回転数に達した否かを検出する機能を持っている。所定の回転数に達したときに活性化されるのがＣＬＶロック信号である。光ディスクの回転数が保てないときには、オフトラック状態検出信号ＳOFT が“Ｈ”となりやすい。オフトラック状態検出信号ＳOFT の周波数を検出してイコライザ特性の判定を行う場合、ＣＬＶロック信号がＯＦＦとなっている期間を除いて実行することにより、最適ではないレーザパワーにて書き込まれた光ディスクの判別をより高精度に行うことが可能となる。
【００５１】
図１１は実施の形態７におけるＲＦ信号増幅装置の構成を示すブロック図である。図１０に対して、外部演算手段２１からのＣＬＶロック信号ＳCLV のゲイン調整回路２０に対する入力が追加されている。これにより、ゲイン調整回路２０は、傷検出信号ＳD が“Ｈ”となっている期間、または“Ｈ”から“Ｌ”となった後の一定期間を除き、かつ、トラッキングロック信号ＳTL、ＰＬＬロック信号ＳPLおよびＣＬＶロック信号ＳCLV がＯＦＦとなっている期間を除いて、オフトラック状態検出信号ＳOFT の周波数を検出して、検出した周波数が所定の閾値よりも高いか否かの判定を行うことができる。すなわち、傷検出信号ＳD が無効かつトラッキングロック信号ＳTL、ＰＬＬロック信号ＳPLおよびＣＬＶロック信号ＳCLV が有効のときに限って、オフトラック状態検出信号ＳOFT の周波数に基づくイコライザゲイン調整の処理を実行するので、トラッキング外れ、ＰＬＬロックおよびＣＬＶロックの発生の有無にかかわらず、最適ではないレーザパワーにて書き込まれた光ディスクの判別をより高精度に行うことが可能となる。
【産業上の利用可能性】
【００５２】
本発明のＲＦ信号増幅装置は、ＣＤプレーヤー等の光ディスク装置において、従来再生不可能であった光ディスクを再生可能とするＲＦイコライザのゲイン調整の技術として有用である。
【図面の簡単な説明】
【００５３】
【図１】本発明の実施の形態１におけるＲＦ信号増幅装置の構成を示すブロック図
【図２】本発明の実施の形態１におけるＲＦ信号とオフトラック状態検出信号の波形図
【図３】本発明の実施の形態１における非対称なＲＦ信号とオフトラック状態検出信号の波形図
【図４】本発明の実施の形態１における振幅を拡大したＲＦ信号とオフトラック状態検出信号の波形図
【図５】本発明の実施の形態１におけるゲイン調整回路の構成を示すブロック図
【図６】本発明の実施の形態２におけるゲイン調整回路の構成を示すブロック図
【図７】本発明の実施の形態３におけるゲイン調整回路の構成を示すブロック図
【図８】本発明の実施の形態４におけるＲＦ信号増幅装置の構成を示すブロック図
【図９】本発明の実施の形態５におけるＲＦ信号増幅装置の構成を示すブロック図
【図１０】本発明の実施の形態６におけるＲＦ信号増幅装置の構成を示すブロック図
【図１１】本発明の実施の形態７におけるＲＦ信号増幅装置の構成を示すブロック図
【図１２】従来の技術におけるＲＦ信号増幅装置の構成を示すブロック図
【図１３】最適なレーザパワーにて書き込まれたＲＦ信号の波形図
【図１４】最適ではないレーザパワーにて書き込まれたＲＦ信号の波形図
【符号の説明】
【００５４】
１１  加算増幅器
１２  フォーカス減算増幅器
１３  トラッキング減算増幅器
１４  イコライザ
１５  イコライザ特性切替回路
１６  ＡＧＣ回路
１７  オフトラック検出回路
１８  傷検出回路
１９  周波数検出回路
２０  ゲイン調整回路
２１  外部演算手段
５１  サンプリング回路
５２  カウント回路
５３  算出回路
５４  比較回路
６１  カウント回路
６２  算出回路
６３  比較回路
７１  ＦＶ変換回路
７２  電圧比較回路
ＳRF  ＲＦ信号
ＳOFT   オフトラック状態検出信号
ＳD   傷検出信号
ＳTL  トラッキングロック信号
ＳPL  ＰＬＬロック信号
ＳCLV   ＣＬＶロック信号
ＳADJ   ゲイン調整信号
【図１】
2007042167.tif 000003
【図２】
2007042167.tif 000004
【図３】
2007042167.tif 000005
【図４】
2007042167.tif 000006
【図５】
2007042167.tif 000007
【図６】
2007042167.tif 000008
【図７】
2007042167.tif 000009
【図８】
2007042167.tif 000010
【図９】
2007042167.tif 000011
【図１０】
2007042167.tif 000012
【図１１】
2007042167.tif 000013
【図１２】
2007042167.tif 000014
【図１３】
2007042167.tif 000015
【図１４】
2007042167.tif 000016